(57)【特許請求の範囲】
【請求項１】
エレベータの開口の一側と他側との間にこの間を閉塞するためのスイング戸と複数枚の引戸とを配置し、上記複数枚の引戸を開放したとき複数枚の引戸を収納し得る戸袋スペースを開口の一側に設け、戸袋スペースの入口部にスイング戸を、開口と平行になる状態と開口と直交する状態との間で回転自在にすると共に開口と直交する状態にしたときに戸袋スペースの入口を閉塞するように装着し、複数枚の引戸を戸袋スペースに収納して開口を開放したときスイング戸が引戸と直交する向きに回動してスイング戸が開放されるように引戸とスイング戸とを連動させたことを特徴とするエレベータの扉の構造。
【請求項２】
スイング戸が開口と平行になって開口を閉塞する状態になるようにスイング戸をばね付勢し、スイング戸に連動ピンを設けると共に引戸に連動ピンに係当し得る連動杆を設け、複数枚の引戸を戸袋スペースに収納するとき連動ピンに連動杆が係当してばねの力に抗してスイング戸が回転して開放されるようにしたことを特徴とする請求項１記載のエレベータの扉の構造。
【請求項３】
複数枚の引戸のうち、開口を閉じたとき戸袋スペース側と反対の他側に位置する引戸に連動杆を設けたことを特徴とする請求項２記載のエレベータの扉の構造。
【請求項４】
複数枚の引戸のうち、開口を閉じたとき戸袋スペースに位置する引戸に連動杆を設けたことを特徴とする請求項２記載のエレベータの扉の構造。
【発明の詳細な説明】
【０００１】
【発明の属する技術分野】
本発明は、家庭用のエレベータ等でエレベータの各階の乗降口やエレベータ籠に設ける扉の構造に関するものである。
【０００２】
【従来の技術】
エレベータでは各階の乗降口１やエレベータ籠２の出入り口３に開閉自在に扉が設けられるが、従来、この扉は引戸式に開閉自在にされるようになっている。家庭用のエレベータでは３枚の引戸４を連動させて開閉自在にした３枚引戸方式のものが一般的に用いられる。３枚の引戸４を閉じたとき３枚の引戸４で開口が図４（ａ）に示すように閉塞され、３枚の引戸４を連動させて開放したとき図４（ｂ）に示すように３枚の引戸４が一側の戸袋スペース５に収納されるようになっている。
【０００３】
【発明が解決しようとする課題】
ところで、上記従来例では、３枚の引戸４を開いたときに一側の戸袋スペース５に３枚の引戸４が重なって収納されるが、引戸４の１枚分の幅の戸袋スペース５が開口の一側に必要とし、戸袋スペース５の分だけ開口される幅が狭くなる。このために車椅子の出入りがしずらく、エレベータ籠２等のエレベータの幅を広くする必要がある。また狭小スペースに設置するエレベータの場合、車椅子の使用は断念しなければならない。
【０００４】
引戸４の枚数を４枚以上にすると、戸袋スペース５の幅が狭くなるが、幅方向と直交する奥行き方向の厚さが厚くなり、エレベータの奥行きを狭くするというような弊害が生じる。
【０００５】
また上記のように各階の乗降口１やエレベータ籠２の出入り口３を上記のように３枚の引戸４で開閉するようにしたとき、乗降口１で戸袋スペース５に収納した３枚の引戸４と出入り口３で戸袋スペース５に収納した３枚の引戸４との間の隙間Ｓが露出し、この隙間Ｓを手を入れたりするおそれがあって、安全性を確保する方策を講じる必要がある。
【０００６】
本発明は上記の点に鑑みてなされたものであり、戸袋スペースの幅を小さくして開いたときに開放する幅を広くできて車椅子の出入りがスムーズにできるエレベータの扉の構造を提供することを課題とするものである。
【０００７】
【課題を解決するための手段】
上記課題を解決するための本発明のエレベータの扉の構造は、エレベータの開口の一側と他側との間にこの間を閉塞するためのスイング戸６と複数枚の引戸４とを配置し、上記複数枚の引戸４を開放したとき複数枚の引戸４を収納し得る戸袋スペース５を開口の一側に設け、戸袋スペース５の入口部にスイング戸６を、開口と平行になる状態と開口と直交する状態との間で回転自在にすると共に開口と直交する状態にしたときに戸袋スペース５の入口を閉塞するように装着し、複数枚の引戸４を戸袋スペース５に収納して開口を開放したときスイング戸６が引戸４と直交する向きに回動してスイング戸６が開放されるように引戸４とスイング戸６とを連動させたことを特徴とする。引戸４とスイング戸６を開放したとき複数枚の引戸４が戸袋スペース５に収納されると共にスイング戸６が引戸４と直交して戸袋スペース５の入口を蓋するように開放される。このとき複数枚の引戸４とスイング戸６とで開閉するために引戸４の幅を小さくして戸袋スペース５の幅を小さくでき、またスイング戸６が殆ど収納幅をとらないように収納でき、従来に比べて広く開放できて車椅子を使用する場合もスムーズに出入りできる。また各階の乗降口１やエレベータ籠２の出入り口３の戸袋スペース５に収納した引戸４間にできる隙間Ｓはスイング戸６で閉塞されてこの隙間Ｓに手を入れたりするおそれがなくて安全性を確保することができる。
【０００８】
またスイング戸６が開口と平行になって開口を閉塞する状態になるようにスイング戸６をばね付勢し、スイング戸６に連動ピン７を設けると共に引戸４に連動ピン７に係当し得る連動杆８を設け、複数枚の引戸４を戸袋スペース５に収納するとき連動ピン７に連動杆８が係当してばねの力に抗してスイング戸６が回転して開放されるようにしたことを特徴とすることも好ましい。開口を開放するとき引戸４を開いて引戸４を戸袋スペース５に収納すると、連動杆８が連動ピン７に係当してばねの力に抗してスイング戸６が開放される。開口を閉塞するとき引戸４を戸袋スペース５から引き出すと、連動杆８と連動ピン７との係当が外れてばねの力でスイング戸６が閉じられる。これにより引戸４とスイング戸６とを簡単な構造で連動させることができる。
【０００９】
また複数枚の引戸４のうち、開口を閉じたとき戸袋スペース５と反対の他側に位置する引戸４に連動杆８を設けたことを特徴とすることも好ましく、また複数枚の引戸４のうち、開口を閉じたとき戸袋スペース５側に位置する引戸４に連動杆８を設けたことを特徴とすることも好ましい。
【００１０】
【発明の実施の形態】
図１に示すように建物にはエレベータ昇降路１０を設けてあり、このエレベータ昇降路１０にエレベータ籠２を上下に昇降自在に配置してあり、油圧ジャッキ等の昇降機構１１にてエレベータ籠２を昇降することができるようになっている。エレベータ籠２にはエレベータ籠２内に出入りするための出入り口３を設けてあり、建物の各階にはこの出入り口３に対応する乗降口１を設けてある。
【００１１】
この乗降口１及び出入り口３である開口には夫々エレベータの扉が配置され、このエレベータの扉にて開口を開閉できるようになっている。この乗降口１及び出入り口３に配置されるエレベータの扉は複数枚の引戸４と１枚のスイング戸６とで構成されている。本例の場合、引戸４は従来例と同様に３枚であるが、スイング戸６も用いるために従来の引戸４より幅が狭いものである。引戸４とスイング戸６とは略同幅である。
【００１２】
乗降口１及び出入り口３の開口の一側には戸袋スペース５を設けてあり、この戸袋スペース５には上記３枚の引戸４を重ねて収納できるようになっている。乗降口１及び出入り口３の一側の戸袋スペース５と他側との間には１枚のスイング戸６と３枚の引戸４を配置してある。３枚の引戸４は引き違い状に摺動自在に装着されており、またこの３枚の引戸４は連動して開閉されるようにようになっている。つまり、３枚の引戸４を順に引戸４ａ，４ｂ，４ｃとしたとき、引戸４ａを開くように駆動したとき、引戸４ａに引戸４ｂが重なり、次いで引戸４ｃが重なり、引戸４ａ，４ｂ，４ｃが重なって戸袋スペース５に収納されるようになっている。また戸袋スペース５から引戸４ａを閉じるように駆動したときは、引戸４ａに続いて順次引戸４ｂ，４ｃが戸袋スペース５から引き出され、開口が閉じられるようになっている。
【００１３】
収納スペース５の引戸４が出入りする入口にはスイング戸６が回転軸１２を中心に回転自在になるように装着してある。このスイング戸６は開口と平行になる状態と開口に対して直交する状態になる間の略９０°の角度範囲だけ回転するようになっている。乗降口１側のスイング戸６と出入り口３側のスイング戸６の回転軸１２の位置は相反する側に位置しており、これらの一対のスイング戸６は所謂観音開き状に開閉するようになっている。乗降口１側の戸袋スペース５のエレベータ外側には戸袋スペース５を隠すための袖壁部１３を設けてある。エレベータ籠２内には出入り口３側の戸袋スペース５を隠すカバー１４を設けてある。
【００１４】
上記スイング戸６は回転軸１２にて回転自在に装着されるが、この回転軸１２にはスイング戸６が閉じる方向に回動するように付勢するためのねじりばねのようなばね１５を装着してあり、通常スイング戸６が開口と平行になって閉じるようになっている。このスイング戸６には回転軸１２と離れた位置で連動ピン７を装着してあり、引戸４には上記連動ピン７に係当し得る連動杆８を装着してある。この連動杆８は図２、図３（ａ）の例では引戸４ａ，４ｂ，４ｃのうち引戸４ａに設けてあり、図３（ｂ）の例では引戸４ｃに設けてある。
【００１５】
上記のようなエレベータの扉において、扉が閉じられた状態では図１のようになっており、戸袋スペース５から引き出された引戸４ａ，４ｂ，４ｃで開口が閉じられていると共にスイング戸６にて引戸４ｃと戸袋スペース５との間が閉じられている。この状態から引戸４ａを戸袋スペース５側に摺動させると、引戸４ａ，４ｂ，４ｃが重なって戸袋スペース５に収納され、このとき引戸４ａまたは引戸４ｃに設けた連動杆８が連動ピン７に当って、ばね１５の力に抗してスイング戸６が回転させられ、スイング戸６が開口と直交するように回転させられて戸袋スペース５の入口を閉塞するように畳まれる。これにより、乗降口１及び出入り口３が従来より広い幅で開放される。つまり、従来より幅の狭い戸袋スペース５とスイング戸６の厚みとが開口を狭くするだけのために開口の幅を従来に比べて広くでき、車椅子でもスムーズに通過できるようになる。またスイング戸６を開放した状態で引戸４を収納した戸袋スペース５間にできる隙間Ｓをスイング戸６が閉塞することになり、特別な方策をとらなくても安全性を確保できる。また引戸４が３枚でも開口を広くできるために奥行き方向のスペースをとらなくてエレベータ籠２が奥行き方向に狭くなることもない。また上記のように開放した状態から引戸４ａを引き出すると、引戸４ａに続いて引戸４ｂ，４ｃが引き出され、連動杆８が連動ピン７から外れ、ばね１５の力でスイング戸６が回転して閉じられる。
【００１６】
【発明の効果】
本発明の請求項１の発明はエレベータの開口の一側と他側との間にこの間を閉塞するためのスイング戸と複数枚の引戸とを配置し、上記複数枚の引戸を開放したとき複数枚の引戸を収納し得る戸袋スペースを開口の一側に設け、戸袋スペースの入口部にスイング戸を、開口と平行になる状態と開口と直交する状態との間で回転自在にすると共に開口と直交する状態にしたときに戸袋スペースの入口を閉塞するように装着し、複数枚の引戸を戸袋スペースに収納して開口を開放したときスイング戸が引戸と直交する向きに回動してスイング戸が開放されるように引戸とスイング戸とを連動させたので、引戸とスイング戸を開放したとき複数枚の引戸が戸袋スペースに収納されると共にスイング戸が引戸と直交して戸袋スペースの入口を蓋するように開放されるものであって、複数枚の引戸とスイング戸とで開閉するために引戸の幅を小さくして戸袋スペースの幅を小さくできると共にスイング戸が殆ど収納幅をとらないように収納でき、従来に比べて広く開放できて車椅子を使用する場合もスムーズに出入りできるものであり、また各階の乗降口やエレベータ籠の出入り口の戸袋スペースに収納した引戸間にできる隙間はスイング戸で閉塞されてこの隙間に手を入れたりするおそれがなくて安全性を確保することができるものである。
【００１７】
また本発明の請求項２の発明は、請求項１において、スイング戸が開口と平行になって開口を閉塞する状態になるようにスイング戸をばね付勢し、スイング戸に連動ピンを設けると共に引戸に連動ピンに係当し得る連動杆を設け、複数枚の引戸を戸袋スペースに収納するとき連動ピンに連動杆が係当してばねの力に抗してスイング戸が回転して開放されるようにしたので、開口を開放するとき引戸を開いて引戸を戸袋スペースに収納すると、連動杆が連動ピンに係当してばねの力に抗してスイング戸が開放され、また開口を閉塞するとき引戸を戸袋スペースから引き出すと、連動杆と連動ピンとの係当が外れてばねの力でスイング戸が閉じられるものであって、引戸とスイング戸とを簡単な構造で連動させることができるものである。
【図面の簡単な説明】
【図１】本発明の実施の形態の一例を示し、（ａ）は乗降口や出入り口を閉塞した状態の平面図、（ｂ）は乗降口や出入り口を開放した状態の平面図である。
【図２】（ａ）は同上の要部の平面図、（ｂ）は要部の概略正面図である。
【図３】（ａ）（ｂ）は同上の乗降口や出入り口の開放した状態の要部の平面図である。
【図４】従来例を示し、（ａ）は乗降口や出入り口を閉塞した状態の平面図、（ｂ）は乗降口や出入り口を開放した状態の平面図である。
【符号の説明】
４  引戸
５  戸袋スペース
６  スイング戸
７  連動ピン
８  連動杆
【図１】
0003893956.tif 000002
【図２】
0003893956.tif 000003
【図３】
0003893956.tif 000004
【図４】
0003893956.tif 000005